【事件の表示】
　特願２０１０−５４６５０７号「空気調和装置」拒絶査定不服審判事件〔平成２２年７月２２日国際公開、ＷＯ２０１０／０８２３２５〕について、次のとおり審決する。
【結　論】
　本件審判の請求は、成り立たない。
【理　由】
１．手続の経緯
　本願は、２００９年１月１５日を国際出願日とする出願であって、平成２５年２月１８日付けで拒絶査定がなされ、これに対して、平成２５年５月１５日付けで拒絶査定不服審判の請求がなされたものである。
　その後、当審において、平成２６年２月２６日付けで拒絶理由が通知され、これに対して、平成２６年５月１日付けで意見書が提出されるとともに、同日付けで手続補正がなされたものである。
　
２．本願発明
　本願の特許請求の範囲の請求項１ないし５に係る発明は、平成２６年５月１日付け手続補正書により補正された明細書、特許請求の範囲及び図面の記載からみて、その特許請求の範囲の請求項１ないし５に記載されたとおりのものであると認められるところ、請求項１に係る発明（以下「本願発明」という。）は、以下のとおりである。
「冷媒を加圧して吐出する圧縮機、外気と冷媒との熱交換を行う複数の室外側熱交換器及び設定されたモードの冷暖房運転に対してのみ流路を切り替える第１の流路切替手段を有する室外機と、
　空調対象空間の空気と冷媒との熱交換を行う室内側熱交換器及び室内側流量制御手段を各々有する複数の室内機と、
　前記室外機と前記室内機との間で前記冷媒の流れを制御する分流コントローラと
を配管接続して冷媒回路を構成する冷暖房混在運転モードによる運転可能な空気調和装置であって、
　前記圧縮機が吐出した冷媒を分流させ、並列に配管接続した各室外側熱交換器にそれぞれ流入させるためのバイパス配管と、
　該バイパス配管を通過した冷媒又は前記室内機からの冷媒のいずれかを、前記各室外側熱交換器に流入させるための切り替えを行う複数の第２の流路切替手段と、
　暖房時に前記室外側熱交換器の冷媒流入口となる位置にそれぞれ設置された開度可変の複数の絞り装置と
を前記室外機に備えることを特徴とする空気調和装置。」
　
３．引用例
　これに対して、当審で通知した拒絶理由に引用され、本願国際出願日前に頒布された刊行物である特開平６−２５７９０２号公報（以下「引用例１」という。）及び特開２００５−２３３４５１号公報（以下「引用例２」という。）には、それぞれ以下の各事項が記載されている。
　
［引用例１について］
（１ａ）「【請求項２】  圧縮機、四方弁、第１の室外側熱交換器、第２の室外側熱交換器、第１の室外側膨張弁、第２の室外側膨張弁、第１の室外側二方弁、第２の室外側二方弁、第３の室外側二方弁、第４の室外側二方弁から成る室外機と、室内側膨張弁、室内側熱交換器から成る複数の室内機とをガス管及び液管を介して接続し、前記四方弁の第１路は前記圧縮機の吐出側に、前記四方弁の第２路は前記圧縮機の吸入側に、前記四方弁の第３路は前記第１の室外側二方弁を介し前記ガス管に連通すると共に、前記圧縮機の吐出側は前記第２の室外側二方弁を介し前記ガス管に連通し、前記第１の室外側熱交換器の一方は、前記第３の室外側二方弁を介して前記四方弁の第４路に連通し、前記第１の室外側熱交換器と前記第３の室外側二方弁の間の配管を、前記第４の室外側二方弁を介して前記四方弁の第３路と前記第１の室外側二方弁の間の配管と接続し、前記第２の室外側熱交換器の一方は、前記四方弁の第４路に連通し、前記第１、第２の室外側熱交換器の他の一方は、それぞれ前記第１、第２の室外側膨張弁を介し、前記液管に合流接続し、前記室内側熱交換器の一方は、前記ガス管に、前記室内側熱交換器の他の一方は、前記室内側膨張弁を介し前記液管に接続した多室型空気調和機。」
　
（１ｂ）「【０００３】以下、図面を参照しながら上述した公報の従来の多室型空気調和機について説明する。
【０００４】図７において、１は多室型空気調和機の室外機であり、圧縮機２、四方弁３、第１の室外側熱交換器４、第２の室外側熱交換器５、第１の室外側二方弁６、第２の室外側二方弁７、第３の室外側二方弁８、第４の室外側二方弁９、室外側膨張弁１０、吐出ガス管１１から成っている。１２は室内機であり、室内側膨張弁１３、室内側熱交換器１４から成っている。
【０００５】そして室外機１と室内機１２は液管１５及びガス管１６によって環状に接続され、冷媒回路１７を構成している。四方弁３の第１路は圧縮機２の吐出側に、四方弁３の第２路は圧縮機２の吸入側に、四方弁３の第３路はガス管１６に連通し、第１、第２の室外側熱交換器４、５の一方は、四方弁３の第４路に連通し、第１、第２の室外側熱交換器４、５の他の一方は、それぞれ第１、第２の室外側二方弁６、７を介して合流し、室外側膨張弁１０を介して液管１５に接続し、第１の室外側熱交換器４と第１の室外側二方弁６の間の配管及び第２の室外側熱交換器５と第２の室外側二方弁７の間の配管をそれぞれ第３、第４の室外側二方弁６、７を介して圧縮機２の吐出側に接続している。
【０００６】室内側熱交換器１４の一方は、ガス管１６に、室内側熱交換器１４の他の一方は、室内側膨張弁１３を介し液管１５に接続している。尚、室内機１２は本従来例では３台接続されており、区別する場合は添字ａ、ｂ、ｃを付けることにする。」
　
（１ｃ）「【０００７】次に上記構成の多室型空気調和機の動作について説明する。まず冷房運転の場合について説明する。この場合の冷媒の流れは実線矢印で表し、第１の室外側二方弁６は開、第２の室外側二方弁７は開、第３の室外側二方弁８は閉、第４の室外側二方弁９は閉、各室内側膨張弁１３ａ，１３ｂ，１３ｃは各室内負荷に応じた開度である。圧縮機２より吐出された高温高圧ガスは、四方弁３を介して第１の室外側熱交換器４、第２の室外側熱交換器５で凝縮液化され、第１の室外側二方弁６、第２の室外側二方弁７を通り、室外側膨張弁１０を介して各室内側膨張弁１３ａ，１３ｂ，１３ｃで減圧され、各室内側熱交換器１４ａ，１４ｂ，１４ｃに入りそれぞれ蒸発気化したあと、四方弁３を介して圧縮機２に戻り、冷房運転を行なう。
【０００８】次に暖房運転の場合について説明する。この場合の冷媒の流れは破線矢印で表し、第１の室外側二方弁６は開、第２の室外側二方弁７は開、第３の室外側二方弁８は閉、第４の室外側二方弁９は閉、各室内側膨張弁１３ａ，１３ｂ，１３ｃは各室内負荷に応じた開度である。圧縮機２より吐出された高温高圧ガスは、四方弁３を介して各室内側熱交換器１４ａ，１４ｂ，１４ｃに導かれ、ここで凝縮液化して各室内側膨張弁１３ａ，１３ｂ，１３ｃを介して室外側膨張弁１０で減圧され、第１の室外側二方弁６、第２の室外側二方弁７を通り、第１の室外側熱交換器４、第２の室外側熱交換器５に入り蒸発気化したあと、四方弁３を介して圧縮機２に戻り、暖房運転を行なう。」
　
（１ｄ）「【０００９】次に除霜運転の場合について図８を用いて説明する。まず、第１の室外側熱交換器４のみ除霜する場合について説明する。この場合の冷媒の流れは実線矢印で表し、第１の室外側二方弁６は閉、第２の室外側二方弁７は開、第３の室外側二方弁８は開、第４の室外側二方弁９は閉、各室内側膨張弁１３ａ，１３ｂ，１３ｃは各室内負荷に応じた開度である。圧縮機２より吐出された高温高圧ガスの一部は、四方弁３を介して各室内側熱交換器１４ａ，１４ｂ，１４ｃに導かれ、ここで凝縮液化して各室内側膨張弁１３ａ，１３ｂ，１３ｃを介して室外側膨張弁１０で減圧され、第２の室外側二方弁７を通り、第２の室外側熱交換器５に入り蒸発気化する。圧縮機２より吐出された高温高圧ガスの残りは、吐出ガス管１１、第３の室外側二方弁８を通り、第１の室外側熱交換器４で凝縮する（第１の室外側熱交換器４は除霜される）。そのあと、第２の室外側熱交換器５を通った冷媒と合流し、四方弁３を介して圧縮機２に戻り、除霜運転を行なう。
【００１０】次に、第２の室外側熱交換器５のみ除霜する場合について説明する。この場合の冷媒の流れは破線矢印で表し、第１の室外側二方弁６は開、第２の室外側二方弁７は閉、第３の室外側二方弁８は閉、第４の室外側二方弁９は開、各室内側膨張弁１３ａ，１３ｂ，１３ｃは各室内負荷に応じた開度である。圧縮機２より吐出された高温高圧ガスの一部は、四方弁３を介して各室内側熱交換器１４ａ，１４ｂ，１４ｃに導かれ、ここで凝縮液化して各室内側膨張弁１３ａ，１３ｂ，１３ｃを介して室外側膨張弁１０で減圧され、第１の室外側二方弁６を通り、第１の室外側熱交換器４に入り蒸発気化する。圧縮機２より吐出された高温高圧ガスの残りは、吐出ガス管１１、第４の室外側二方弁９を通り、第２の室外側熱交換器５で凝縮する（第２の室外側熱交換器５は除霜される）。そのあと、第１の室外側熱交換器４を通った冷媒と合流し、四方弁３を介して圧縮機２に戻り、除霜運転を行なう。」
　
（１ｅ）図８
　
（１ｆ）「【００３２】図４において、２６は多室型空気調和機の室外機であり、第４の室外側二方弁２７を有している。
【００３３】四方弁３の第１路は圧縮機２の吐出側に、四方弁２の第２路は圧縮機３の吸入側に、四方弁３の第３路は第１の室外側二方弁２１を介しガス管１６に連通すると共に、圧縮機２の吐出側は第２の室外側二方弁２２を介しガス管１６に連通し、第１の室外側熱交換器４の一方は、第３の室外側二方弁２３を介して四方弁３の第４路に連通し、第１の室外側熱交換器４と第３の室外側二方弁２３の間の配管を、第４の室外側二方弁２７を介して四方弁３の第３路と第１の室外側二方弁２１の間の配管と接続し、第２の室外側熱交換器５の一方は、四方弁３の第４路に連通し、第１、第２の室外側熱交換器４、５の他の一方は、それぞれ第１、第２の室外側膨張弁１９、２０を介し、液管１５に合流接続している。」
　
（１ｇ）「【００３４】次に、このような構成においての動作について説明する。まず冷房運転の場合について説明する。この場合の冷媒の流れは実線矢印で表し、第１の室外側二方弁２１は開、第２の室外側二方弁２２は閉、第３の室外側二方弁２３は開、第４の室外側二方弁２７は閉、各室内側膨張弁１３ａ，１３ｂ，１３ｃは各室内負荷に応じた開度である。圧縮機２より吐出された高温高圧ガスは、四方弁３を介して第１の室外側熱交換器４、第２の室外側熱交換器５で凝縮液化され、第１の室外側膨張弁１９、第２の室外側膨張弁２０を通り、各室内側膨張弁１３ａ，１３ｂ，１３ｃで減圧され、各室内側熱交換器１４ａ，１４ｂ，１４ｃに入りそれぞれ蒸発気化したあと、四方弁３を介して圧縮機２に戻り、冷房運転を行なう。
【００３５】次に暖房運転の場合について説明する。この場合の冷媒の流れは破線矢印で表し、第１の室外側二方弁２１は開、第２の室外側二方弁２２は閉、第３の室外側二方弁２３は開、第４の室外側二方弁２７は閉、各室内側膨張弁１３ａ，１３ｂ，１３ｃは各室内負荷に応じた開度である。圧縮機２より吐出された高温高圧ガスは、四方弁３を介して各室内側熱交換器１４ａ，１４ｂ，１４ｃに導かれ、ここで凝縮液化して各室内側膨張弁１３ａ，１３ｂ，１３ｃを介して第１の室外側膨張弁１９、第２の室外側膨張弁２０で減圧され、第１の室外側熱交換器４、第２の室外側熱交換器５に入り蒸発気化したあと、四方弁３を介して圧縮機２に戻り、暖房運転を行なう。」
　
（１ｈ）「【００３６】次に除霜運転の場合について図５を用いて説明する。まず、第１の室外側熱交換器４のみ除霜する場合について説明する。この場合の冷媒の流れは実線矢印で表し、第１の室外側二方弁２１は開、第２の室外側二方弁２２は閉、第３の室外側二方弁２３は閉、第４の室外側二方弁２７は開、各室内側膨張弁１３ａ，１３ｂ，１３ｃは各室内負荷に応じた開度である。圧縮機２より吐出された高温高圧ガスの一部は、四方弁３、第１の室外側二方弁２１を介して各室内側熱交換器１４ａ，１４ｂ，１４ｃに導かれ、ここで凝縮液化して各室内側膨張弁１３ａ，１３ｂ，１３ｃを介して液管１５に流入する。圧縮機２より吐出された高温高圧ガスの残りは、四方弁３、第４の室外側二方弁２７を通り、第１の室外側熱交換器４で凝縮し（第１の室外側熱交換器４は除霜される）、第１の室外側膨張弁１９を介して液管１５に流入する。そして、室内側熱交換器１４ａ，１４ｂ，１４ｃを通った冷媒と合流し、第２の室外側膨張弁２０で減圧され、第２の室外側熱交換器５に入り蒸発気化し、四方弁３を介して圧縮機２に戻り、除霜運転を行なう。
【００３７】次に、第２の室外側熱交換器５のみ除霜する場合について説明する。この場合の冷媒の流れは破線矢印で表し、第１の室外側二方弁２１は閉、第２の室外側二方弁２２は開、第３の室外側二方弁２３は閉、第４の室外側二方弁２７は開、各室内側膨張弁１３ａ，１３ｂ，１３ｃは各室内負荷に応じた開度である。圧縮機２より吐出された高温高圧ガスの一部は、第２の室外側二方弁２２を介して各室内側熱交換器１４ａ，１４ｂ，１４ｃに導かれ、ここで凝縮液化して各室内側膨張弁１３ａ，１３ｂ，１３ｃを介して液管１５に流入する。圧縮機２より吐出された高温高圧ガスの残りは、四方弁３を介して第２の室外側熱交換器５で凝縮し（第２の室外側熱交換器５は除霜される）、第２の室外側膨張弁２０を介して液管１５に流入する。そして、室内側熱交換器１４ａ，１４ｂ，１４ｃを通った冷媒と合流し、第１の室外側膨張弁１９で減圧され、第１の室外側熱交換器４に入り蒸発気化し、第４の室外側二方弁２７を通り、四方弁３を介して圧縮機２に戻り、除霜運転を行なう。
【００３８】従って、このように室外側熱交換器の除霜が必要な場合、暖房運転を行いながら第１の室外側熱交換器４または第２の室外側熱交換器５を交互に除霜を行うことができる。」
　
（１ｉ）図５
　
　以上の記載において、特に記載事項（ａ）、（ｆ）〜（ｉ）を総合すると、引用例１には、
「圧縮機２、四方弁３、第１の室外側熱交換器４、第２の室外側熱交換器５、第１の室外側膨張弁１９、第２の室外側膨張弁２０、第１の室外側二方弁２１、第２の室外側二方弁２２、第３の室外側二方弁２３、第４の室外側二方弁２７から成る室外機２６と、室内側膨張弁１３、室内側熱交換器１４から成る複数の室内機１２とをガス管１６及び液管１５を介して接続し、前記四方弁３の第１路は前記圧縮機２の吐出側に、前記四方弁３の第２路は前記圧縮機２の吸入側に、前記四方弁３の第３路は前記第１の室外側二方弁２１を介し前記ガス管１６に連通すると共に、前記圧縮機２の吐出側は前記第２の室外側二方弁２２を介し前記ガス管１６に連通し、前記第１の室外側熱交換器４の一方は、前記第３の室外側二方弁２３を介して前記四方弁３の第４路に連通し、前記第１の室外側熱交換器４と前記第３の室外側二方弁２３の間の配管を、前記第４の室外側二方弁２７を介して前記四方弁３の第３路と前記第１の室外側二方弁２１の間の配管と接続し、前記第２の室外側熱交換器５の一方は、前記四方弁３の第４路に連通し、前記第１、第２の室外側熱交換器４、５の他の一方は、それぞれ前記第１、第２の室外側膨張弁１９、２０を介し、前記液管１５に合流接続し、前記室内側熱交換器１２の一方は、前記ガス管１６に、前記室内側熱交換器１２の他の一方は、前記室内側膨張弁１３を介し前記液管１５に接続した多室型空気調和機であって、
　冷房運転の場合には、圧縮機２より吐出された高温高圧ガスは、四方弁３を介して第１の室外側熱交換器４、第２の室外側熱交換器５に導かれ、暖房運転の場合には、圧縮機２より吐出された高温高圧ガスは、四方弁３を介して各室内側熱交換器１４ａ，１４ｂ，１４ｃに導かれ、
　第１の室外側熱交換器４のみ除霜する場合には、第１の室外側二方弁２１は開、第２の室外側二方弁２２は閉、第３の室外側二方弁２３は閉、第４の室外側二方弁２７は開とし、圧縮機２より吐出された高温高圧ガスの一部は、四方弁３、第１の室外側二方弁２１を介して各室内側熱交換器１４ａ，１４ｂ，１４ｃに導かれ、ここで凝縮液化して各室内側膨張弁１３ａ，１３ｂ，１３ｃを介して液管１５に流入し、圧縮機２より吐出された高温高圧ガスの残りは、四方弁３、第４の室外側二方弁２７を通り、第１の室外側熱交換器４で凝縮し、第１の室外側膨張弁１９を介して液管１５に流入し、そして、室内側熱交換器１４ａ，１４ｂ，１４ｃを通った冷媒と合流し、第２の室外側膨張弁２０で減圧され、第２の室外側熱交換器５に入り蒸発気化し、四方弁３を介して圧縮機２に戻り、除霜運転を行ない、
　第２の室外側熱交換器５のみ除霜する場合には、第１の室外側二方弁２１は閉、第２の室外側二方弁２２は開、第３の室外側二方弁２３は閉、第４の室外側二方弁２７は開とし、圧縮機２より吐出された高温高圧ガスの一部は、第２の室外側二方弁２２を介して各室内側熱交換器１４ａ，１４ｂ，１４ｃに導かれ、ここで凝縮液化して各室内側膨張弁１３ａ，１３ｂ，１３ｃを介して液管１５に流入し、圧縮機２より吐出された高温高圧ガスの残りは、四方弁３を介して第２の室外側熱交換器５で凝縮し、第２の室外側膨張弁２０を介して液管１５に流入し、そして、室内側熱交換器１４ａ，１４ｂ，１４ｃを通った冷媒と合流し、第１の室外側膨張弁１９で減圧され、第１の室外側熱交換器４に入り蒸発気化し、第４の室外側二方弁２７を通り、四方弁３を介して圧縮機２に戻り、除霜運転を行なう多室型空気調和機。」の発明（以下「引用発明」という。）が記載されていると認められる。
　
［引用例２について］
（２ａ）「【請求項１】
　圧縮機と、複数の熱交換部から構成される室外熱交換器とを有する室外ユニットを備えて前記圧縮機から吐出された冷媒を前記室外熱交換器へ循環させて空調運転を行うと共に、暖房運転時、前記室外熱交換器での前記冷媒の循環方向を反転させて当該室外熱交換器の除霜運転を行う空気調和装置において、
　前記除霜運転時、前記室外熱交換器を流通させる冷媒の流量を、各熱交換部毎に調節する除霜運転手段を備えたことを特徴とする空気調和装置。」
　
（２ｂ）「【発明の効果】
【００１３】
　この発明によれば、各熱交換部の着霜量に応じて、当該熱交換部を流通して除霜する冷媒の冷媒量を適正に制御することができるとともに、いずれかの熱交換部の除霜が終了すると、当該熱交換部の冷媒流入側に設けられた電磁開閉弁を閉じて、この熱交換部へと流入しようとする冷媒を遮断することから、各熱交換部の着霜量に応じた除霜運転を行わせ、未だ除霜が終了していない他の熱交換部へ流入する冷媒の冷媒量を増加させて、当該他の熱交換部の除霜を促進させることができ、着霜量が多い熱交換部の除霜運転時間を短縮することができる。」
　
（２ｃ）「【００２５】
　そして、この暖房運転で、熱交換部１２ａ、１２ｂへの着霜が検知されると、前記４方弁１１は、図１の実線の方向に設定され、前記熱交換部１２ａ、１２ｂの除霜運転が行われる。この熱交換部１２ａ、１２ｂへの着霜の検知は、外気温度センサ１７と前記各温度センサＥｘＧａ、ＥｘＧｂ、ＥｘＬａ、ＥｘＬｂおよび圧力センサＨｐの換算温度との温度差が、所定の着霜検知温度に達したことを室外制御部１６で検出し、この着霜が検知されると、熱交換部１２ａ、１２ｂの各室外電磁弁１４ａ、１４ｂの双方が開放されて室外膨張弁１５ａ、１５ｂの開度が制御されるとともに、室内ユニット３ａ、３ｂの各室内膨張弁２１ａ、２１ｂが略全開の開度とされ、上記冷房運転と同様の冷媒経路で冷媒が循環されて除霜運転が開始される。」
　
４．対比
　本願発明と引用発明とを対比すると、
　引用発明の「多室型空気調和機」は、本願発明の「空気調和装置」に相当し、
　引用発明の「圧縮機２」は、本願発明でいう「冷媒を加圧して吐出する」ものであることは明らかであり、
　引用発明の「第１の室外側熱交換器４」及び「第２の室外側熱交換器５」は、本願発明の「複数の室外側熱交換器」に相当し、また、それらは、本願発明でいう「外気と冷媒との熱交換を行う」ものであることは明らかであり、
　引用発明は、「室外機１」及び複数の「室内機１２」を「ガス管１６」及び「液管１５」により、本願発明でいう「配管接続して冷媒回路を構成」するものであり、
　引用発明の「室内側熱交換器１４」は、本願発明の「室内側熱交換器」に相当し、
　引用発明の「室内側膨張弁１３」は、各室内負荷に応じた開度とされるもの（記載事項（１ｇ）参照）であるから、本願発明の「室内側流量制御手段」といえ、
　引用発明の「暖房運転」及び「冷房運転」は、それぞれ本願発明の「設定されたモードの冷暖房運転」といえ、
　引用発明の「四方弁３」は、上記「暖房運転」及び「冷房運転」に対してそれぞれ流路を切り替えるものであるから、本願発明の「第１の流路切替手段」に相当し、また、引用発明の「四方弁３」と本願発明の「第１の流路切替手段」とは、「設定されたモードの冷暖房運転に対して流路を切り替える」限りにおいて一致し、
　引用発明の「圧縮機２より吐出された高温高圧ガス」は、本願発明の「圧縮機が吐出した冷媒」に相当し、引用発明の「第１の室外側熱交換器４」及び「第２の室外側熱交換器５」が、並列に配管接続されていることは明らかであり、そして、引用発明の上記「高温高圧ガス」の一部は、「各室内側熱交換器１４ａ，１４ｂ，１４ｃに導かれ」、その残りは、「第１の室外側熱交換器４」または「第２の室外側熱交換器５」で凝縮されることから、引用発明の上記「高温高圧ガス」は本願発明でいう「分流」され、「第１の室外側熱交換器４」または「第２の室外側熱交換器５」に本願発明でいう「流入」されるといえ、また、それらの流れは、第４の室外側二方弁２７を備えた「配管」または通常の冷暖房運転で用いられる「配管」によりなされるものであり、
　引用発明の除霜運転の場合に「圧縮機２より吐出された高温高圧ガスの残り」の「第１の室外側熱交換器４」または「第２の室外側熱交換器」へ流入させるための切替を行う「第１〜第４の室外側二方弁２１、２２、２３、２７」及び「四方弁３」は、本願発明の「複数の第２の流路切替手段」に相当し、
　引用発明の「第１の室外側膨張弁１９」及び「第２の室外側膨張弁２０」は、本願発明の「複数の絞り装置」に相当し、本願発明の「暖房時に室外側熱交換器の冷媒流入口となる位置にそれぞれ設置された」ものといえる。
　よって、両者は、
「冷媒を加圧して吐出する圧縮機、外気と冷媒との熱交換を行う複数の室外側熱交換器及び設定されたモードの冷暖房運転に対して流路を切り替える第１の流路切替手段を有する室外機と、
　空調対象空間の空気と冷媒との熱交換を行う室内側熱交換器及び室内側流量制御手段を各々有する複数の室内機と、
　を配管接続して冷媒回路を構成する空気調和装置であって、
　前記圧縮機が吐出した冷媒を分流させ、並列に配管接続した各室外側熱交換器にそれぞれ流入させるための配管と、
　該配管を通過した冷媒又は前記室内機からの冷媒のいずれかを、前記各室外側熱交換器に流入させるための切り替えを行う複数の第２の流路切替手段と、
　暖房時に前記室外側熱交換器の冷媒流入口となる位置にそれぞれ設置された開度可変の複数の絞り装置とを前記室外機に備える空気調和装置。」
　である点で一致し、以下の各点で相違する。
　
　相違点１；本願発明では、室外機と室内機との間で冷媒の流れを制御する分流コントローラを配管接続して冷暖房混在運転モードによる運転可能であるのに対し、引用発明では、そのような特定がない点。
　
　相違点２；本願発明では、室外機に備えられた複数の絞り装置が、開度可変であるのに対し、引用発明では、第１及び第２の室外側膨張弁１９、２０について、そのような特定がない点。
　
　相違点３；本願発明では、第１の流路切替手段による流路の切替は、設定されたモードの冷暖房運転に対してのみとされ、また、圧縮機が吐出した冷媒を分流させ、並列に配管接続した各室外側熱交換器にそれぞれ流入させるための配管は、バイパス配管とされているのに対し、引用発明では、四方弁３は、除霜運転において除霜する室外側熱交換器を変更する際にも切り替えられ、また、圧縮機２より吐出された高温高圧ガスの残りを、第１の室外側熱交換器４へ導く配管は、第４の室外側二方弁２７を備えた配管であって、バイパス配管といえるものの、第２の室外側熱交換器５へ導く配管は、通常の冷暖房運転で用いられる配管である点。
　
５．判断
　上記各相違点について検討する。
・相違点１について
　複数の室内機を備えた空気調和装置において、室外機と室内機との間で前記冷媒の流れを制御する分流コントローラ（中継機）を配管接続して冷暖房混在運転モードによる運転可能とすることは、本願明細書の段落【０００３】及び【０００４】に従来技術として挙げられている特開２００７−２７１０９４号公報に記載されているように本願国際出願日前に周知の技術である（その他にも特開２００４−３０９０８８号公報、特開２００４−３４７１６４号公報等がある。）。
　また、複数の室内機を備えた空気調和装置において、種々の使用環境に合わせて運転できるように運転モードを多様化することは、一般的な技術課題といえる。
　よって、引用発明において、運転モードを多様化するために上記周知の技術を適用し、上記相違点１の本願発明のようになすことは、当業者が容易になし得たことである。
　
・相違点２について
　引用例２には、除霜運転可能な空気調和装置において、室外膨張弁の開度を制御し、各熱交換部の着霜量に応じて、当該熱交換部を流通して除霜する冷媒の冷媒量を適正に制御する技術が記載されている。
　また、引用発明において、各室外側熱交換器を除霜する場合に、該各室外側熱交換器を流通する冷媒の冷媒量を適正に制御する必要があることは、当業者が容易に想到し得る事項である。
　よって、引用発明において、上記引用例２に記載された技術を適用し、「第１の室外側膨張弁１９」及び「第２の室外側膨張弁２０」をそれぞれ開度可変とし、上記相違点２の本願発明のようになすことは、当業者が容易になし得たことである。
　
・相違点３について
　本件明細書の実施の形態２及び３を参酌すると、本願発明と引用発明とは、除霜運転の各室外側熱交換器における冷媒の流れに差はなく、除霜機能において格別な差があるものではない。
　また、特定の流体の流れを実現する流体回路を設計するのにあたり、当業者は種々の具体的な配管や弁の構成を想到し得るものであって、どのような流体回路の構成を採用するかは、当業者が設計上適宜に選択し得る事項である。
　そして、引用例１には、複数の室外側熱交換器を備え除霜運転可能な多室型空気調和機において、圧縮機より吐出された高温高圧ガスを各室外側熱交換器に導く二方弁を備えた配管（バイパス配管）をそれぞれ設け、四方弁を冷暖房運転の変更時のみに切り替えることも、従来技術として記載されている（記載事項（１ｂ）〜（１ｅ）参照）ことから、引用発明において、「第２の室外側熱交換器５」についても「第１の室外側熱交換器４」と同様に、圧縮機２より吐出された高温高圧ガスの残りを二方弁を備えた配管（バイパス配管）を用いて導き、「四方弁３」を冷暖房運転の変更時のみに切り替えるようになすことは、当業者が容易になし得たことである。
　よって、引用発明において、圧縮機２より吐出された高温高圧ガスの残りを「第２の室外側熱交換器５」にバイパス配管を用いて導き、「四方弁３」を冷暖房運転の変更時のみに切り替え、上記相違点３の本願発明のようになすことは、当業者が容易になし得たことである。
　
　したがって、本願発明は、引用発明、引用例１及び引用例２に記載された技術並びに周知の技術に基づいて、当業者が容易に発明をすることができたものである。
　
６．むすび
　以上のとおり、本願発明は、特許法第２９条第２項の規定により特許を受けることができないものであるから、本願は、他の請求項に係る発明について検討するまでもなく、拒絶をすべきものである。
　よって、結論のとおり審決する。